(57)【要約】【課題】  ハンドセットを置台に載置する場合やハンドセットを置台から取り上げる場合に、ハンドセットを保持する保持部が邪魔にならないようにするとともに、ハンドセットが置台に載置されている場合に、ハンドセットが置台から脱落し難くする。【解決手段】  ハンドセット１が置台２に載置される際に、ハンドセット１の受話部１ａにより操作されるフックボタン３に連動して、ハンドセット１を置台２に載置するときに邪魔にならない待機位置からハンドセット１を置台２に保持する保持位置へ保持部４を移動させるようにしている。一方、ハンドセット１が置台２から取り上げられる際に、操作を解除されるフックボタン３に連動して、保持位置から待機位置へ保持部４を移動させるようにしている。また、保持部４が保持位置に移動した場合には、爪部４ａがハンドセット１ａを保持するようにしている。【選択図】  図１
2010239205.tif 000002
【特許請求の範囲】
【請求項１】
他の電話装置との間で通話路が形成された場合に、入力した音声を前記他の電話装置に出力する送話部および前記他の電話装置から入力した音声を周囲に出力する受話部を有するハンドセットと、
前記ハンドセットが載置される置台と、
前記ハンドセットが前記置台に載置された場合に前記ハンドセットにより操作され、前記他の電話装置との間の通話路を切断させるとともに、前記ハンドセットが前記置台から取り上げられた場合に操作を解除され、前記他の電話装置との間で通話路を形成させるフックボタンと、
前記置台に設けられ、前記フックボタンの操作に連動して前記ハンドセットを前記置台に保持する保持位置に移動し、前記フックボタンの操作の解除に連動して前記ハンドセットが置台に載置されたり取り上げられたりする際に邪魔にならない待機位置に移動する保持部と、
を備えたことを特徴とする電話装置。
【発明の詳細な説明】
【技術分野】
【０００１】
本発明は、ハンドセットを所定の場所に載置したり所定の場所から取り上げたりすることにより、通話路を切断したり接続したりする電話装置に関し、特に、壁面に取り付けて使用する電話装置に関する。
【背景技術】
【０００２】
従来、電話装置では、ハンドセットを置台やクレードルなどの所定の場所（以下、これらをまとめて置台と記載する）に載置することで、置台に設けたフックスイッチが操作され（オンフック状態）、この電話装置と他の電話装置との間で形成されていた通話路を切断することが行われている。また、電話装置が呼び出し状態である場合に、ハンドセットを置台から取り上げることでフックスイッチの操作が解除され（オフフック状態）、この電話装置と他の電話装置との間で通話路を形成することが行われている。
【０００３】
ところで、このような電話装置をインターホンシステムやナースコールシステムに適用する場合、設置場所を取らないように、電話装置を壁面に取り付けることが行われている。このように壁面に取り付けられた電話装置では、ハンドセットが置台から脱落しないように、置台にハンドセットを保持する保持部を形成することが知られている（例えば、特許文献１など）。この特許文献１に記載の技術によれば、電話装置を壁掛け型で使用する場合に、ハンドセットの落下を防止するための止め爪を、電話装置を卓上型で使用するときでも邪魔にならないように取り除く操作を行うことが記載されている。
【先行技術文献】
【特許文献】
【０００４】
【特許文献１】特開平６−２３２９５１号公報
【発明の開示】
【発明が解決しようとする課題】
【０００５】
しかしながら、特許文献１に記載の技術によれば、電話装置を壁掛け型で使用する場合には、止め爪が置台から突出している状態になるため、ハンドセットを置台に載置したり、ハンドセットを置台から取り上げたりするときに、止め爪が邪魔になってしまい、使用者がハンドセットを置台に載置し難くなったり、使用者がハンドセットを置台から取り上げ難くなったりしてしまうという問題があった。
【０００６】
本発明は、このような問題を解決するために成されたものであり、ハンドセットを置台に載置する場合やハンドセットを置台から取り上げる場合に、ハンドセットを保持する保持部が邪魔にならないようにするとともに、ハンドセットが置台に載置されている場合に、ハンドセットが置台から脱落し難くすることを目的とする。
【課題を解決するための手段】
【０００７】
上述した課題を解決するために、本発明では、ハンドセットが置台に載置される際にハンドセットにより操作されるフックボタンに連動して、ハンドセットを置台に保持するための保持部を、ハンドセットを置台に載置するときに邪魔にならない待機位置からハンドセットを置台に保持する保持位置へ移動させ、ハンドセットが置台から取り上げられる際に操作を解除されるフックボタンに連動して、保持部を保持位置から待機位置へ移動させるようにしている。
【発明の効果】
【０００８】
上記のように構成した本発明によれば、ハンドセットを置台に載置する際には、保持部が待機位置に存在しているため、保持部が邪魔にならなくなる。また、ハンドセットが置台に載置されると、ハンドセットによりフックボタンが操作され、それに連動して保持部が保持位置に移動するので、ハンドセットを置台から脱落し難くすることができる。また、ハンドセットを置台から取り上げようとすると、ハンドセットによりフックボタンの操作が解除され、それに連動して保持部が待機位置に移動するので、保持部が邪魔にならなくなる。
【図面の簡単な説明】
【０００９】
【図１】本実施形態による電話装置の構成例を示す断面図である。
【図２】本実施形態による電話装置の動作を示す断面図である。
【図３】本実施形態による電話装置の変形例を示す図である。
【発明を実施するための形態】
【００１０】
以下、本発明の一実施形態を図面に基づいて説明する。図１は、本実施形態による電話装置のハンドセット１を置台２から取り上げた状態を示す図であり、図２は、本実施形態による電話装置のハンドセット１を置台２に載置した状態を示す図である。図１および図２に示すように、本実施形態による電話装置は、外観上ではハンドセット１と置台２とを組み合わせて構成されている。また、ハンドセット１は、受話部１ａ、送話部１ｂ、切欠部１ｃを備えて構成されている。また、置台２の内部には、フックボタン３、保持部４が設けられている。なお、本実施形態による電話装置の電気的な構成要素については、周知の電話装置と同一であるため、その説明を省略する。また、ハンドセット１と置台２とが有線にて接続されている場合には、ハンドセット１と置台２との間には、コードが設けられる。
【００１１】
ハンドセット１は、使用者が他の電話装置の使用者からの呼び出しに応答したり、他の電話装置の使用者と会話したりする際に、使用者が手に取って使用するものである。また、置台２には、ハンドセット１を置くための凹部が形成されており、使用者がハンドセット１を使用しないときには、少なくともハンドセット１の一部が凹部に係合する。これにより、ハンドセット１が置台２に載置される。受話部１ａは、他の電話装置との間で通話路が形成された場合に、他の電話装置から入力した音声を周囲に出力するためのものである。送話部１ｂは、他の電話装置との間で通話路が形成された場合に、使用者などが発した声や周囲の音などを入力するためのものである。また、ハンドセット１の受話部１ａの下方には、後述する爪部４ａにより保持される切欠部１ｃが形成されている。
【００１２】
置台２の凹部には、ハンドセット１の受話部１ａに対向する面に、フックボタン３の一部が突出するように開口部が形成されている。また、置台２の爪部４ａが突出する位置にも後述するように開口部が形成されている。図１に示すように、ハンドセット１が置台２から取り上げられている状態で、使用者がハンドセット１の受話部１ａをフックボタン３に当接させて、そのままハンドセット１を置台２に載置すると、開口部から突出していたフックボタン３が押し込まれ、他の電話装置との間で通話路が形成されている場合には、図示しない通話路切断手段を操作する。
【００１３】
ここで、通話路切断手段は通話路を切断する動作を行う。一方、図２に示すように、ハンドセット１が置台２に載置されている状態で、使用者がハンドセット１を取り上げると、フックボタン３の操作が解除され、フックボタン３が開口部から突出する。ここで、フックボタン３には、図１に示すような凹部から突出した状態に戻るための力が働いている。この力は、バネなどの部材により得られる。このように、フックボタン３の操作が解除されると、他の電話装置から呼び出しが行われている場合には、通話路切断手段の操作も解除され、他の電話装置との間で通話路が形成される。また、フックボタン３の操作が解除された場合に、他の電話装置から呼び出しが行われていないときには、電話装置は発信待ち状態となる。
【００１４】
また、フックボタン３の一端には、周囲に歯車を備えた略半円状の円板部３ａが形成されており、円板部３ａを形成する円の中心部分には、回転軸３ｂが形成されている。この回転軸３ｂは、置台２の筐体内部に回動自在に固定されている。また、円板部３ａの周囲の歯車は、保持部４に形成されている歯車に噛み合っている。
【００１５】
保持部４の先端には、爪部４ａが形成されており、フックボタン３の円板部３ａの歯車に当接する位置には、歯車が形成されている。また、保持部４は、図示しないレール上を図１の矢印に示すように双方向に移動可能である。
【００１６】
このように構成された電話装置を使用者が使用する際には、以下のような動作が行われる。まず、図１に示すように、使用者がハンドセット１を持っている状態では、フックボタン３は開口部から突出している。また、保持部４が待機位置に存在しているため、保持部４の爪部４ａは開口部から突出していない。ここで、待機位置とは、ハンドセット１が置台２へ載置されたり、ハンドセット１が置台２から取り上げられたりする際に、保持部４の先端に設けた爪部４ａがハンドセット１の邪魔にならない位置のことである。この状態で、使用者がハンドセット１の受話部１ａをフックボタン３に当接させて、そのままハンドセット１を置台２に載置しようとしても、爪部４ａが開口部から突出していないため、邪魔にならない。そのため、使用者がハンドセット１を置台２にスムーズに載置することができる。
【００１７】
また、使用者がハンドセット１の受話部１ａをフックボタン３に当接させて、そのままハンドセット１を置台２に載置すると、フックボタン３が押し込まれ、円板部３ａが回転軸３ｂを中心に回動する。円板部３ａが回動すると、周囲に形成した歯車に噛み合っている保持部４の歯車も動かされる。そのため、待機位置にある保持部４は、レール上を図２の矢印に示す方向に移動して保持位置へと移動する。すると、保持部４の先端に形成されている爪部４ａが置台２の開口部から突出し、ハンドセット１の切欠部１ｃに入り込む。従って、ハンドセット１が保持部４の先端に設けた爪部４ａにより置台２にしっかりと載置される。
【００１８】
一方、図２に示すように、ハンドセット１が置台２に載置されている状態で、使用者がハンドセット１を取り上げると、フックボタン３の操作が解除される。すると、フックボタン３に働く力により、フックボタン３は図１に示す状態に徐々に戻る。そのため、円板部３ａが回転軸３ｂを中心に回動し、周囲に形成した歯車に噛み合っている保持部４の歯車も動かされ、保持部４が徐々に待機位置へ戻る。すると、ハンドセット１の切欠部１ｃに入り込んでいる爪部４ａが切欠部１ｃから外れる。この状態で、使用者がハンドセット１を置台２から取り上げても、爪部４ａが開口部から突出しなくなるため、邪魔にならなくなる。そのため、使用者がハンドセット１を置台２からスムーズに取り上げることができる。
【００１９】
以上詳しく説明したように、本実施形態によれば、ハンドセット１が置台２に載置される際に、ハンドセット１の受話部１ａにより操作されるフックボタン３に連動して、ハンドセット１を置台２に載置するときに邪魔にならない待機位置からハンドセット１を置台２に保持する保持位置へ保持部４を移動させるようにしている。一方、ハンドセット１が置台２から取り上げられる際に、操作を解除されるフックボタン３に連動して、保持位置から待機位置へ保持部４を移動させるようにしている。
【００２０】
これにより、ハンドセット１を置台２に載置する際には、保持部４が待機位置に存在しているため、保持部４が邪魔にならなくなる。また、ハンドセット１が置台２に載置されると、ハンドセット１によりフックボタン３が操作され、それに連動して保持部４が保持位置に移動して爪部４ａがハンドセット１の切欠部１ｃに入り込むので、ハンドセット１を置台２から脱落し難くすることができる。また、ハンドセット１を置台２から取り上げようとすると、ハンドセット１によりフックボタン３の操作が解除され、それに連動して保持部４が待機位置に移動して爪部４ａがハンドセット１の切欠部１ｃから外れるので、保持部４が邪魔にならなくなる。
【００２１】
なお、前述した実施形態では、フックボタン３は、ハンドセット１の受話部１ａによって操作されているが、これに限定されない。例えば、ハンドセット１の送話部１ｂやその他の部分によってフックボタン３を操作するようにしても良い。
【００２２】
また、前述した実施形態では、フックボタン３の円板部３ａの周囲に設けた歯車と保持部４に設けた歯車とを噛み合わせることにより、フックボタン３と保持部４とを連動させているが、これに限定されない。例えば、フックボタン３と保持部４との間に他の歯車やその他の部材を介在させたり、フックボタン３と保持部４とを一体的に形成したりするようにしても良い。
【００２３】
また、前述した実施形態では、保持部４に設けた爪部４ａがハンドセット１の切欠部１ｃに入り込むことで、ハンドセット１を置台２に保持しているが、これに限定されない。例えば、図３に示すように、ハンドセット１１の受話部１１ａを挟むように保持する保持部１４を置台１２に設け、フックボタン１３の操作に連動させるようにしても良い。
【００２４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２５】
１，１１    ハンドセット
１ａ    受話部
１ｂ    送話部
１ｃ    切欠部
２，１２    置台
３，１３    フックボタン
３ａ    円板部
３ｂ    回転軸
４，１４    保持部
４ａ    爪部
【図１】
2010239205.tif 000003
【図２】
2010239205.tif 000004
【図３】
2010239205.tif 000005